(57)【要約】【課題】簡素な機構により、便座および／または便蓋が着脱可能に取り付けられたトイレ装置を提供すること。【解決手段】トイレ装置は、便座および便蓋から選択される開閉部材と、便器の後方に固定される取付部とを有する。取付部には、側方に向かって進退可能に支持軸が取り付けられ、開閉部材には、その支持軸を挿入可能な挿入孔が形成されている。支持軸が前進した状態で支持軸を挿入孔に挿入することで、開閉部材が回動可能に取付部に取り付けられる。一方、支持軸を後退させ、支持軸を挿入孔から脱出させることで、開閉部材が取付部から取り外される。便蓋を支持する便蓋軸を後退させると、便座軸が連動して後退され、便座軸が便座軸挿入孔から脱出することが好ましい。【選択図】図１
2014217660.tif 000002
【特許請求の範囲】
【請求項１】
便座および便蓋から選択される開閉部材と、便器の後方に固定される取付部とを有し、
前記取付部には、側方に向かって進退可能に支持軸が取り付けられ、
前記開閉部材には、前記支持軸を挿入可能な挿入孔が形成され、
前記支持軸が前進した状態で前記支持軸を前記挿入孔に挿入することで、前記開閉部材が回動可能に前記取付部に取り付けられ、前記支持軸を後退させ、前記支持軸を前記挿入孔から脱出させることで、前記開閉部材が前記取付部から取り外されることを特徴とするトイレ装置。
【請求項２】
前記取付部は、前記支持軸として便座軸と便蓋軸の２つを有し、
前記便座は、便座軸挿入孔を有し、前記便座軸を前記便座軸挿入孔に挿入することで前記取付部に取り付けられ、前記便蓋は、便蓋軸挿入孔を有し、前記便蓋軸を前記便蓋軸挿入孔に挿入することで前記取付部に取り付けられ、
前記便蓋軸を後退させると、前記便座軸が連動して後退され、前記便座軸が前記便座軸挿入孔から脱出することを特徴とする請求項１に記載のトイレ装置。
【請求項３】
前記便蓋軸と前記便座軸は、相互に連結されていることを特徴とする請求項２に記載のトイレ装置。
【請求項４】
前記支持軸は前進方向に付勢されている、またはロック機構によって前進位置で固定されることを特徴とする請求項１から３のいずれか１項に記載のトイレ装置。
【発明の詳細な説明】
【技術分野】
【０００１】
本発明はトイレ装置に関し、さらに詳しくは、便器に対して便座、便蓋が回動可能に取り付けられたトイレ装置に関する。
【背景技術】
【０００２】
トイレ装置においては、便器の後方に便座および便蓋が回動可能に取り付けられているが、従来一般には、この便座および便蓋は、一旦便器に対し取り付けられると、容易には取り外せないようになっていた。しかし、便座および便蓋の取付部近傍の清掃性を向上させること等を目的とし、便座や便蓋を着脱可能とする構造が適用される場合もある。例えば、特許文献１には、便座の基端部に実質的にＵ字状の開口部とロック部とを有する係合部材が設けられ、トイレ本体側に設けられた回動軸に開口部を嵌め込んだ状態でロック部を操作することで、便蓋が回動自在に固定されるという着脱構造が開示されている。
【先行技術文献】
【特許文献】
【０００３】
【特許文献１】特許第４０１７９５２号公報
【発明の概要】
【発明が解決しようとする課題】
【０００４】
特許文献１の開口部とロック部のように、複雑な構造を用いて便座や便蓋を着脱可能とする場合には、便座や便蓋の着脱に要する操作が煩雑になってしまう。また、複雑な形状の部材が便座や便蓋に設けられるため、埃や汚物などがこれらの部材の細部や隙間等にたまりやすく、また付着した埃や汚れが除去しにくくなるので、便座や便蓋の取付部分の衛生性が低下してしまう。
【０００５】
本発明が解決しようとする課題は、簡素な機構により、便座および／または便蓋が着脱可能に取り付けられたトイレ装置を提供することにある。
【課題を解決するための手段】
【０００６】
上記課題を解決するために、本発明にかかるトイレ装置は、便座および便蓋から選択される開閉部材と、便器の後方に固定される取付部とを有し、前記取付部には、側方に向かって進退可能に支持軸が取り付けられ、前記開閉部材には、前記支持軸を挿入可能な挿入孔が形成され、前記支持軸が前進した状態で前記支持軸を前記挿入孔に挿入することで、前記開閉部材が回動可能に前記取付部に取り付けられ、前記支持軸を後退させ、前記支持軸を前記挿入孔から脱出させることで、前記開閉部材が前記取付部から取り外されることを要旨とする。
【０００７】
ここで、前記取付部は、前記支持軸として便座軸と便蓋軸の２つを有し、前記便座は、便座軸挿入孔を有し、前記便座軸を前記便座軸挿入孔に挿入することで前記取付部に取り付けられ、前記便蓋は、便蓋軸挿入孔を有し、前記便蓋軸を前記便蓋軸挿入孔に挿入することで前記取付部に取り付けられ、前記便蓋軸を後退させると、前記便座軸が連動して後退され、前記便座軸が前記便座軸挿入孔から脱出することが好ましい。
【０００８】
この場合に、前記便蓋軸と前記便座軸は、相互に連結されているとよい。
【０００９】
また、前記支持軸は前進方向に付勢されている、またはロック機構によって前進位置で固定されることが好適である。
【発明の効果】
【００１０】
上記本発明にかかるトイレ装置においては、取付部から突出した支持軸が、開閉部材に設けられた挿入孔に挿入することで、開閉部材が、便器の後方に回動可能に支持される。そして、支持軸を後退させ、挿入孔から脱出させるだけで、開閉部材を取付部から取り外すことができるので、開閉部材は、便器に対して容易に着脱可能となっている。開閉部材を着脱可能とするための機構は、進退可能な支持軸と挿入孔という簡素な構成によってのみ実現されており、例えば特許文献１のロック部材のような、開閉部材の着脱用途に特化した複雑な形状を有する部材を必要としない。これにより、支持軸を取付部に押し込むなどして後退させるという単純な操作のみによって、開閉部材を取付部から取り外すことができる。また、開閉部材の着脱のための部材として単純な軸構造と孔構造が形成されているだけであり、埃や汚物が付着する可能性のある微細な部位が少なく、それらが付着したとしても、拭き取るなどして容易に除去することができるので、取付部近傍の衛生性を高めることができる。
【００１１】
ここで、取付部が支持軸として便座軸と便蓋軸の２つを有し、便座が、便座軸挿入孔を有し、便座軸を便座軸挿入孔に挿入することで取付部に取り付けられ、便蓋が、便蓋軸挿入孔を有し、便蓋軸を便蓋軸挿入孔に挿入することで取付部に取り付けられ、便蓋軸を後退させると便座軸が連動して後退され、便座軸が便座軸挿入孔から脱出する構成によれば、便蓋を取付部から取り外して便蓋軸を露出させ、この便蓋軸を取付部本体に押し込む等して後退させると、自動的に便座軸も後退され、便座に設けられた便座軸挿入孔から脱出される。これにより、取付部による便座の支持が自動的に解除される。つまり、便蓋軸を後退させるという操作を行うのみで、便座を容易に取り外すことができる。そして、便蓋を支持する便蓋軸が便座軸を後退させるための操作部材を兼ねることから、取付部の構成が簡素なものとなる。
【００１２】
この場合に、便蓋軸と便座軸が、相互に連結されていれば、便蓋軸を後退させることによって自動的に便座軸が後退するという構成を、簡便に実現することができる。
【００１３】
また、支持軸が前進方向に付勢されている場合には、支持軸を後退させて開閉部材を取り外した際に、自動的に支持軸が前進するので、開閉部材を再度取り付ける際に、支持軸を簡単に前進させることができる。これにより、開閉部材の着脱操作が一層容易となる。また、支持軸の付勢によって、支持軸による開閉部材の支持が安定化されるという効果も有する。支持軸がロック機構によって前進位置で固定される場合にも、支持軸による開閉部材の支持が安定化される。
【図面の簡単な説明】
【００１４】
【図１】本発明の一実施形態にかかるトイレ装置の取付部を示す斜視図である。
【図２】上記取付部を用いて便座および便蓋を取り付けたトイレ装置を示す概略図である。
【図３】上記取付部における支持軸の進退機構の第一の実施形態を示す概略図である。
【図４】上記取付部における支持軸の進退機構の第二の実施形態を示す概略図である。
【図５】上記取付部における支持軸の進退機構の第三の実施形態を示す概略図である。
【発明を実施するための形態】
【００１５】
以下、本発明の一実施形態にかかるトイレ装置について、図面を参照しながら説明する。本明細書において、トイレ装置（および便座）の前方、後方、および側方とは、便座に着座した使用者にとっての前方、後方、および側方を指すものとする。
【００１６】
本実施形態にかかるトイレ装置１は、便座２および便蓋３を便器本体に取り付けるための取付部１０の構成に特徴を有する。図１に取付部１０の斜視図を示し、図２に、この取付部１０を用いて便座２および便蓋３を取り付けた状態の概略図を示す。
【００１７】
取付部１０は、便器本体（不図示）の後方に、便器本体に対して固定され、便座２と便蓋３を便器に対して回動可能に支持する。図１では、取付部１０は、便器本体の後方に、上方に突出して設けられた取付柱２０と一体に形成されている。取付部１０が、温水を使用者の人体局部に対して噴出する温水洗浄装置や温風を発生する温風乾燥装置を備える、いわゆる温水洗浄便座とともにトイレ装置に設けられる場合には、取付部１０および取付柱２０は、温水洗浄装置や温風乾燥装置を収容した本体部と一体的に設けられてもよい。取付部１０および取付柱２０は、便器本体の左右両側に、一対で設けられている。
【００１８】
取付部１０の側面１０ａからは、側方外側Ｆに向かって、便座軸１２と便蓋軸１３の２つの支持軸が突出している。そして、便座２の基端部両側には、便座軸１２を挿入可能な便座軸挿入孔２ａが形成されている。便座２の両側の便座軸挿入孔２ａに取付部１０の便座軸１２が挿入されることにより、便座２が取付部１０に対して回動可能に取り付けられる。また、便蓋３の基端部両側には、便蓋軸１３を挿入可能な便蓋軸挿入孔３ａが形成されている。便蓋３の両側の便蓋軸挿入孔３ａに便蓋軸１３が挿入されることにより、便蓋３が取付部１０に対して回動可能に取り付けられる。図２では、分かり易いように、便座軸挿入孔２ａおよび便蓋軸挿入孔３ａを、便座軸１２および便蓋軸１３に対して余裕をもって大きな径で示してあるが、実際には、便座軸１２および便蓋軸１３と安定的に連動して便座２および便蓋３が回動するように、便座軸挿入孔２ａおよび便蓋軸挿入孔３ａの内径は、便座軸１２および便蓋軸１３の外径とそれぞれ略等しく（同じかわずかに大きく）形成され、便座軸１２および便蓋軸１３が圧入されている。便座軸１２および便蓋軸１３には、位置決めのため、いわゆるＤカットが形成されていてもよい。なお、以降の図面においても、軸状部材がその外形と略等しい形状の孔状部に圧入されている場合に、分かり易いように、孔状部を余裕をもって大きく示している。
【００１９】
便座２および便蓋３は、手動で開閉されるものであっても、モータ等の動力により、自動開閉されるものであってもよい。自動開閉される場合には、取付部１０の内部に、便座軸１２および便蓋軸１３に連結されて、ロータ等の回転機構が収容されている。
【００２０】
取付部１０に設けられた便座軸１２および便蓋軸１３は、取付部１０の側面１０ａに対して、進退運動可能となっている。つまり、トイレ装置１の側方外側Ｆに前進可能であり、かつ内側Ｂに後退可能である。便座軸１２および便蓋軸１３は、可動範囲の中で最も方向Ｆに前進した状態で、便座軸挿入孔２ａおよび便蓋軸挿入孔３ａに挿入され、図２のように、便座２および便蓋３が取付部１０に取り付けられる。一方、便座軸１２および便蓋軸１３は、可動範囲の中で最も方向Ｂに後退した状態で、それぞれ便座軸挿入孔２ａおよび便蓋軸挿入孔３ａから完全に脱出し、便座２および便蓋３が取付部１０に支持されない状態となる。便座２および便蓋３の取り外し作業の容易性等に鑑みると、便座軸１２および便蓋軸１３が完全に方向Ｂに後退した状態では、便座軸１２および便蓋軸１３の全体が取付部１０に収容され、それらの先端面１２ａ，１３ａが取付部１０の側面１０ａと面一になるか、側面１０ａよりも取付部１０の内側に入り込むことが好ましい。
【００２１】
便座軸１２と便蓋軸１３の両方が方向Ｆに前進した図１の状態において、便蓋軸１３を取付部１０の側面１０ａに向かって押し付けると（図中矢印Ａ１）、便座軸１２は、その便蓋軸１３の動きと連動して方向Ｂに後退する（図中矢印Ａ２）。このことが、便座２の取り外しの容易性を高める。
【００２２】
便蓋３は通常、肉厚が小さい樹脂等、便座２よりも弾性変形しやすい材料よりなっており、図２のように、便座２、便蓋３とも取付部１０に支持された状態において、便蓋３を弾性変形させて、便蓋軸挿入孔３ａの形成された部分を外側に押し開くようにすれば、便蓋軸１３から便蓋軸挿入孔３ａを外し、便蓋３を容易に取り外すことができる。すると、取付部１０の側面１０ａに、方向Ｆに前進した状態の便蓋軸１３が露出した状態となる。この状態で、便蓋軸１３を図１中矢印Ａ１で示すように、取付部１０の側面１０ａ側に押し込めば、便座軸１２が図１中矢印Ａ２で示すように、方向Ｂに後退し、便座２に形成された便座軸挿入孔２ａを脱出する。すると、便座２が便座軸１２を介して取付部１０によって支持された状態が解除される。便座２を持ち上げる等すれば、便座２を便器の上面から完全に取り外すことができる。このように、比較的取り外しが容易な便蓋３を外しさえすれば、後は便蓋軸１３を押し込むワンタッチ操作のみで、便座２を取り外すことができる。
【００２３】
便座軸１２および便蓋軸１３に、それぞれ便座２および便蓋３を確実に固定するために、ネジ等の固定部材が補助的に用いられてもよい。例えば、便座２および便蓋３に、便座軸挿入孔２ａおよび便蓋軸挿入孔３ａの中心部に向かってネジ穴を形成し、このネジ穴に抜け止め用のネジを挿入して、便座軸１２および便蓋軸１３に当接させる構成とすることができる。この場合は、便蓋軸１３を押し込んで便座軸１２を後退させる操作を行う前に、便座軸１２を抜け止めしているネジを抜いておけばよい。
【００２４】
さらに、便蓋軸１３および便座軸１２は、取付部１０に内蔵された付勢手段によって、前進方向（方向Ｆ）に向かって付勢されていることが好ましい。すると、便座軸１２を後退させるために押し込んだ便蓋軸１３、およびその便蓋軸１３の操作によって後退された便座軸１２が、自動的に、前進位置に復帰する。これにより、再度便蓋３および便座２を取付部１０に取り付けるために、便座軸１２および便蓋軸１３を方向Ｆに引き出す操作が不要となり、取り付け操作を容易に行うことができる。便蓋軸１３を押し込んで便座軸１２を便座軸挿入孔２ａから脱出させた後、便座軸１２がすぐに前進しないように手指等を用いて便座軸１２を押さえながら便座２を取り外し、その後、便座軸１２を押さえていた手指等を離せば、便座軸１２と便蓋軸１３が前進した状態となり、そのまま再度便座２および便蓋３を取り付けることができる。また、便座軸１２および便蓋軸１３が前進方向Ｆに付勢されていることで、便座２および便蓋３を取付部１０に取り付けた状態において、便座軸挿入孔２ａおよび便蓋軸挿入孔３ａから便座軸１２および便蓋軸１３が脱出することが防止され、便座２および便蓋３が取付部１０に安定に支持され、回動される。
【００２５】
以上のように、便座軸１２が便蓋軸１３の押し込み操作によって後退することで、便座２の取り外しが容易になる。加えて、便座軸１２および便蓋軸１３が前進方向Ｆに付勢されていれば、便座２および便蓋３の取付けが容易となる。このように、２つの支持軸が取付部１０の外側に露出し、２つの挿入孔が便座２と便蓋３に形成されているだけの簡素な取付機構を利用して、便座２および便蓋３の着脱を容易に行うことができる。このように、簡素な構成によって着脱機構が構成されており、埃や汚れが付着して蓄積されやすい微細な構造や隙間が着脱機構に存在しない。また、仮に着脱機構に埃や汚れが付着したとしても、その構成の簡素さのため、拭き取り等によって容易に清掃を行うことができる。よって、便座２および便蓋３の取付機構近傍において、高い衛生性が得られる。
【００２６】
このように、便蓋軸１３と便座軸１２が連動され、便蓋軸１３を押し込むことによって便座軸１２が後退される取付部１０の具体的な構成としては、様々なものが考えられる。以下に、それらの例を示す。
【００２７】
図３に概略を示す第一の実施形態にかかる取付部３０は、ブロック部材３１と、収容部材３４を有してなる。収容部材３４は、ブロック部材３１全体を収容できる空間部３４ａを備えており、ブロック部材３１は、収容部材３４の空間部３４ａに収容されている。そして、便座軸３２と便蓋軸３３が、共通のブロック部材３１から突出している。つまり、便座軸３２と便蓋軸３３がブロック部材３１によって相互に連結されている。収容部材３４の内側面３４ｂとブロック部材３１の背面３１ａの間には、付勢手段であるコイルばね３５が設けられている。コイルばね３５によって、ブロック部材３１と一体に設けられた便座軸３２および便蓋軸３３が方向Ｆに向かって付勢されており、コイルばね３５が自然長にある状態が、便座軸３２および便蓋軸３３が可動範囲の中で最も方向Ｆに前進した状態となる。
【００２８】
便蓋３を取付部３０から外すと、便蓋軸３３が露出するが、この便蓋軸３３を方向Ｂに向かって押し込むと、便蓋軸３３と一体になっているブロック部材３１および便座軸３２が方向Ｂに向かって後退する。すると、便座軸３２が便座軸挿入孔２ａから脱出する。この際、ブロック部材３１の背面３１ａがコイルばね３５を押し、コイルばね３５がブロック部材３１の背面３１ａと収容部材３４の内側面３４ｂとの間で圧縮される。この際、ブロック部材３１を方向Ｆに押し戻す方向にコイルばね３５の復元力が働くので、作業者は、手指等を用いて便蓋軸３３を押さえ、ブロック部材３１が押し戻されないようにしながら、便座２を便器上でずらす等して、便座軸挿入孔２ａに再度便座軸３２が挿入されないようにすればよい。そして、便座２を便座上から降ろす等して完全に取り外した後に、便蓋軸３３等を押さえていた手指等を離せば、コイルばね３５の復元力により、便座軸３２および便蓋軸３３が、最も方向Ｆに突出した位置に復帰する。そして、再度便座２および便蓋３を取付部３０に取り付ける際には、この前進した便座軸３２および便蓋軸３３を便座２の便座軸挿入孔２ａおよび便蓋３の便蓋軸挿入孔３ａに挿入すればよい。この際、適宜便座軸３２および／または便蓋軸３３を押して方向Ｂに後退させながら作業を行えば、便座２および／便蓋３に無理な変形を加えずに、取付操作を行うことができる。本実施形態にかかる取付部３０は、便座軸３２と便蓋軸３３がブロック部材３１と一体に形成されて、安定に連動する点において、後述する第二の実施形態および第三の実施形態にかかる取付部４０，５０よりも有利である。
【００２９】
さらに、ブロック部材３１の側面３１ｂと収容部材３４の側壁面３４ｃに、突起と凹部のように相互に係合可能な係合構造をそれぞれ設け、便座軸３２と便蓋軸３３が方向Ｂに後退した状態で係合するようにしておけば、便蓋軸３３を押し込んで便座軸３２を後退させた際に、便座軸３２および便蓋軸３３が後退した状態が保持される。よって、コイルばね３５によって便座軸３２が押し戻されないように、手指等で便蓋軸３３を押さえておく必要がなくなり、便座２の取り外しを一層容易に行える。便座２および便蓋３を再度取り付ける際に便座軸３２および便蓋軸３３を前進させるためには、例えば、ブロック部材３１を収容部材３４の空間部３４ａ中でずらすようにしながら、便蓋軸１３をさらに押し込むことで、係合構造の係合を解除すればよい。このような係合構造は、以下に示す第二および第三の実施形態にかかる取付部４０，５０に対しても適用することができる。
【００３０】
上記第一の実施形態にかかる取付部３０においては、ブロック部材３１によって便座軸３２と便蓋軸３３が連結され、連動されたが、大型のブロック部材３１の代わりに、細い棒状のリンク部材を介して便座軸と便蓋軸を連結し、連動させることもできる。第二の実施形態にかかる取付部４０においては、便座軸４２と便蓋軸４３が折れ曲がった棒状のリンク部材４４によって結合されている。そして、結合された便座軸４２と便蓋軸４３は、収容部材４１に収容されている。収容部材４１には、便座軸４２の外径と略等しい内径を有する便座軸収容孔４１ａ、便蓋軸４３の外径と略等しい内径を有する便蓋軸収容孔４１ｂが形成されている。そして、便座軸収容孔４１ａと便蓋軸収容孔４１ｂを連通して、連通孔４１ｃが形成されている。リンク部材４４のうち、便座軸４２および便蓋軸４３の進退方向（Ｆ−Ｂ方向）と略直交する方向に延びた連結部４４ａと、連通孔４１ｃの内側面４１ｄの間には、コイルばね４５が配設されている。
【００３１】
この場合にも、第一の実施形態にかかる取付部３０の場合と同様に、便蓋軸４３と便座軸４２の運動が連動し、便蓋軸４３を方向Ｂに押し込むと、便座軸４２も方向Ｂに後退する。かつ、便座軸４２および便蓋軸４３は、コイルばね５５によって前進方向Ｆに付勢された状態にある。便座軸４２および便蓋軸４３の可動範囲のうち、最も方向Ｆに前進した位置は、コイルばね５５の自然長、またはリンク部材４４の連結部４４ａと連通孔４１ｃの外側面４１ｅとの当接によって規定される。
【００３２】
さらに、ブロック部材３１やリンク部材４４のような連結部材を用いない、より簡素な機構によっても、便座軸と便蓋軸の進退運動を連動させることができる。図５に、第三の実施形態にかかる取付部５０を示す。ここでは、収容部材５１に、便座軸５２の外径と略等しい内径を有し、便座軸５２を収容する便座軸収容孔５１ａと、便蓋軸５３の外径と略等しい内径を有し、便蓋軸５３を収容する便蓋軸収容孔５１ｂが形成されている。そして、便座軸収容孔５１ａと便蓋軸収容孔５１ｂを連通して、連通孔５１ｃが形成されている。
【００３３】
連通孔には、コイルばね５５が配設されている。コイルばね５５の端部５５ａは、便座軸５２の後端面５２ａに結合固定されている。さらに、コイルばね５５は、便蓋軸５３の後端面５３ａに当接している。この構成により、便蓋軸５３を方向Ｂに押し込み、便蓋軸５３の後端面５３ａによってコイルばね５５を連通孔５１ｃの内側面５１ｄに押し付け、コイルばね５５を圧縮すると、コイルばね５５に連結された便座軸５２が方向Ｂへと後退する。一方、便蓋軸５３を押さえない状態とすると、コイルばね５５が復元力によって自然長に復帰しようとし、便蓋軸５３が方向Ｆに前進するとともに、便座軸５２もコイルばね５５の端部５５ａを介して方向Ｆに向かって押し出され、前進する。
【００３４】
便座軸１２と便蓋軸１３が連動して進退運動可能な取付部１０の具体的な構成としては、上記に示した３つの実施形態以外にも、様々なものが考えられる。まず、便座軸１２および便蓋軸１３を前進方向Ｆに向かって付勢する付勢手段は必ずしも設けられなくてもよい。例えば、上記第一の実施形態にかかる取付部３０を、コイルばね３５を有さない構成としたもの、上記第二の実施形態にかかる取付部４０を、コイルばね４５を有さない構成としたものがこれに相当する。この場合には、便蓋３を取り外して露出した便蓋軸１３を方向Ｂに押し込み、それに連動して便座軸１２が後退した状態から、便蓋軸１３および便座軸１２が自動的に方向Ｆに前進した位置に復帰することはない。この場合、再度便座２および便蓋３を取り付ける際には、使用者自身が、便座軸１２および便蓋軸１３を引き出す必要がある。例えば、進退可能な範囲の中で最も便座軸１２および便蓋軸１３が方向Ｂに後退した状態において、便座軸１２および便蓋軸１３が取付部１０の側面１０ａよりも突出するようにしておけば、この突出部を指でつまむなどして、使用者が便座軸１２および便蓋軸１３を引き出すことができる。あるいは、便座軸１２および便蓋軸１３に、レバー等の操作部を設けておけば、この操作部を用いることで、容易に便座軸１２および便蓋軸１３を引き出すことができる。
【００３５】
また、上記のように、付勢手段は、便座２および便蓋３を取り外した状態で便座軸１２および便蓋軸１３を前進させ、再度便座２および便蓋３を取り付けやすくするのみならず、便座２および便蓋３を取り付けた状態において、便座軸１２および便蓋軸１３を便座軸挿入孔２ａおよび便蓋軸挿入孔３ａから脱出しにくくし、便座２および便蓋３の支持および回動を安定化する役割を有している。付勢手段を用いない場合に、このような便座軸１２の便座軸挿入孔２ａへの挿入および便蓋軸１３の便蓋軸挿入孔３ａへの挿入を安定化する手段は、便座軸１２と便座軸挿入孔２ａの間、および便蓋軸１３と便蓋軸挿入孔３ａの間に係合構造（ロック機構）を設けることによって代用することができる。つまり、便座軸１２および便蓋軸１３に係合突起を形成しておくとともに、便座軸１２および便蓋軸１３が便座軸挿入孔２ａおよび便蓋軸挿入孔３ａに完全に挿入された時に、それらの係合突起と係合する係合孔を、便座軸挿入孔２ａおよび便蓋軸挿入孔３ａの縁部に形成し、便座２および便蓋３を取り付けた際に各係合突起を係合孔に係合させればよい。
【００３６】
さらに、上記実施形態においては、便座軸１２と便蓋軸１３の両方が進退可能に形成され、便蓋軸１３の後退運動によって便座軸１２の後退運動が駆動された。つまり、便蓋３を回動可能に支持するために不可欠な便蓋軸１３を便座軸１２の後退運動を駆動するための操作部として兼用することで、取付部１０の構造が簡素に形成された。しかし、便座２を取り外すための便座軸１２の後退運動は、必ずしも便蓋軸１３の操作によって駆動されるものでなくてもよく、取付部１０の外部から加えられる何らかの外力によって駆動可能であればよい。例えば、便座軸１２にレバーなどの操作部が結合され、この操作部を使用者が操作することで、便座軸１２が進退運動される構成を挙げることができる。この場合には、取付部１０の構成はやや複雑になるものの、便蓋３を取り外さずに便座２を取り外し可能としたい場合などに、好適に適用することができる。
【００３７】
また、このような操作部によって便座軸１２を操作する構成の変形例として、便蓋軸１３も操作部によって操作できるようにする構成を挙げることができる。上記各実施形態に示したように、便蓋３を取付部１０に取り付けたままで便蓋軸１３を外力によって後退させられる操作部が存在しない場合には、便蓋軸１３が前進した状態のまま、便蓋３の弾性変形を利用するなどして便蓋３を取り外さなければならないのに対し、このように便蓋軸１３も操作部によって後退させるようにすれば、便蓋３を弾性変形等させなくても、容易に取り外すことができる。
【００３８】
このように、支持軸に操作部を設け、操作部に外力を加えることで支持軸を後退させ、挿入孔から支持軸を脱出させる構成は、便蓋３および便座２の両方に設けても、いずれか一方にのみ設けてもよい。便蓋３および便座２の両方にこのような構成を設ける場合に、便蓋軸１３の操作部は、便座軸１２の操作部と独立したものであっても、共通のものであってもよい。便蓋軸１３と便座軸１２の操作部が独立である場合には、便座２および便蓋３のうち、必要な方を選択的に取り外すことができる。一方、便蓋軸１３と便座軸１２の操作部が共通である場合には、単一の操作部を操作することで、便座軸１２の便座軸挿入孔２ａからの脱出と、便蓋軸１３の便蓋軸挿入孔３ａからの脱出の両方を同時に駆動することができ、便座２および便蓋３の取り外しを一層容易に行うことができる。
【００３９】
また、上記で示した便座２および便蓋３の取付け構造は、便座２および便蓋３が異なる取り付け軸を有する場合についてのものであったが、例えば、便座軸が中空の便蓋軸の中を貫通しているような、同軸上に便座２と便蓋３の両方が回動可能に取り付けられる場合にも、便座軸および／または便蓋軸を後退させることで、便座および便座軸に設けられた挿入孔からそれらの軸を脱出させ、便座および／または便蓋の取り外しを行う構成を適用することができる。例えば、便座軸と便蓋軸が取り付けられた軸ユニットを収容部材に収容し、軸ユニットと収容部材の間にコイルばねを配設する構成が考えられる。
【００４０】
以上、本発明の実施形態について詳細に説明したが、本発明は上記実施形態に何ら限定されるものではなく、本発明の要旨を逸脱しない範囲で種々の改変が可能である。
【符号の説明】
【００４１】
１                      トイレ装置
２                      便座
２ａ                    便座軸挿入孔
３                      便蓋
３ａ                    便蓋軸挿入孔
１０，３０，４０，５０  取付部
１２，３２，４２，５２  便座軸
１３，３３，４３，５３  便蓋軸
３１                    ブロック部材
３４，４１，５１        収容部材
３５，４５，５５        コイルばね
４４                    リンク部材
Ｆ                      側方外側（前進方向）
Ｂ                      内側（後退方向）
【図１】
2014217660.tif 000003
【図２】
2014217660.tif 000004
【図３】
2014217660.tif 000005
【図４】
2014217660.tif 000006
【図５】
2014217660.tif 000007